(57)【特許請求の範囲】
【請求項１】
端子の周囲の所定位置に３以上の磁石がいずれかが異なる極性を示すように設置された複数のプラグに対して、各々のプラグが差し込まれる複数のコネクタ部を備えた電子機器であって、
前記各々のコネクタ部は、対応するプラグに設置された磁石に対して対峙する位置に、対応するプラグが所定方向で差し込まれた場合、このプラグに設置された磁石の極性に対して各々が引き合う極性を示すように磁石が設置されたことを特徴とする電子機器。
【発明の詳細な説明】
【技術分野】
【０００１】
本発明は、コネクト部と、このコネクト部に差し込まれるプラグとがそれぞれ引き合うように、コネクト部及びプラグの双方に磁石が設置された電子機器に関する。
【背景技術】
【０００２】
例えばＲＳ−２３２Ｃポートのコネクト装置を使用してモデム装置を接続する場合に、携帯用パーソナルコンピュータ本体側に設けられた第１コネクト部と、インタフェースケーブルの先端に設けられた第２コネクト部とが勘合するようになっているため、その勘合のために、一方の手で携帯用パーソナルコンピュータ本体を抑え、他方の手で、第２コネクト部の位置決めをして、第２コネクト部を、ある程度強く押し込む必要があり、その結合操作がユーザにとって面倒であった。
【０００３】
そこで、着脱の容易化、及び逆結合防止を図ったコネクト装置が提案されている（例えば特許文献１）。このコネクト装置は、複数のコンタクトが形成された第１コネクト部と、この第１コネクト部のコンタクトに対応するように複数のコンタクトが形成された第２コネクト部とが磁石の吸引力によって結合されることにより、着脱の容易化を図ったものである。
【特許文献１】特開平７−６８１７号公報
【発明の開示】
【発明が解決しようとする課題】
【０００４】
特許文献１では、ＡＣアダプタのＤＣプラグとＤＣ―ＩＮコネクタとがカスタマイズされているため、逆結合の防止は図れても、プラグの誤挿入を防止することができないという問題があった。すなわち、例えばＤＣ―ＩＮのプラグの端子はＲＪ４５、ＲＪ１１のプラグに対応するコネクタの窓口よりも小さく、これらのコネクタの窓口に挿入できてしまうため、万が一ＤＣ−ＩＮのプラグがこれらのコネクタの窓口に誤って差し込まれてしまった場合に、ＲＪ４５、ＲＪ１１のコネクタが破壊されてしまう恐れがあった。また、プラグの誤挿入を防止するために、コスト面で優れたコネクタが開発されることが望まれていた。
【０００５】
本発明は、上記課題を鑑みてなされたもので、低コストで製造でき、かつ対応するプラグのみが差し込み可能なコネクタを備えることにより、非対応のプラグが挿入されることによるコネクタの破壊を防止することができる電子機器を提供することを目的とする。
【課題を解決するための手段】
【０００６】
上記課題を解決するために、本発明に係る電子機器は、端子の周囲の所定位置に３以上の磁石がいずれかが異なる極性を示すように設置された複数のプラグに対して、各々のプラグが差し込まれる複数のコネクタ部を備えた電子機器であって、前記各々のコネクタ部は、対応するプラグに設置された磁石に対して対峙する位置に、対応するプラグが所定方向で差し込まれた場合、このプラグに設置された磁石の極性に対して各々が引き合う極性を示すように磁石が設置されたことを特徴とする。
【発明の効果】
【０００７】
本発明に係る電子機器によると、低コストで製造でき、かつ対応するプラグのみが差し込み可能なコネクタを備えることにより、非対応のプラグが挿入されることによるコネクタの破壊を防止することが可能となる。
【発明を実施するための最良の形態】
【０００８】
本発明に係る電子機器の実施形態について、添付図面に基づいて説明する。図１に、本発明に係る電子機器１の斜視図を示す。電子機器１は、一般的に用いられているノート型のＰＣ（Ｐｅｒｓｏｎａｌ  Ｃｏｍｐｕｔｅｒ）や、ＰＤＡ（Ｐｅｒｓｏｎａｌ  Ｄｉｇｉｔａｌ  Ａｓｓｉｓｔａｎｔ）、携帯通信機器等であり、図１に示すように、ユーザにより指示を入力するときに押下されるキー２と、文字や画像等からなる画面を表示するためのディスプレイ３と、音声を出力するためのスピーカ４と、接続ケーブル等のプラグが差し込まれるコネクタ部５、５Ａ、５Ｂが、それぞれ外部に露出するように設けられている。
【０００９】
なお、電子機器１において、例えば、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）、ＨＤ（Ｈａｒｄ  Ｄｉｓｋ）ドライブ、ＲＯＭ（Ｒｅａｄ  Ｏｎｌｙ  Ｍｅｍｏｒｙ）、ＧＰＵ、音声コーデック等がバスにより相互に接続された状態で内蔵されている。
【００１０】
図２に、電子機器１においてコネクタ部５、５Ａを正面から見た様子を示す。コネクタ部５は、例えばＲＪ４５のプラグ６やＲＪ１１のプラグを差し込むためのコネクタを備えている。ＲＪ４５は、ケーブルをつなぐコネクタ形状の一つであり、Ｅｔｈｅｒｎｅｔ（登録商標）ケーブルやＩＳＤＮ回線などで使用される８芯のモジュラ式コネクタである。ＲＪ１１は、ケーブルをつなぐコネクタ形状の一つであり、一般的な電話回線などで使われる６芯のモジュラ式コネクタである。ＲＪ１１はＲＪ４５に形状が似ているが、ＲＪ４５よりも一回り小さく形成されている。また、コネクタ５Ａは、例えばＤＣ−ＩＮのプラグ６Ａを差し込むためのコネクタを備えている。
【００１１】
コネクタ部５には、プラグ６が差し込まれる窓口の周囲（例えば上下左右の４箇所）に磁石１０、１０ａ、１０ｂ、１０ｃが設置されている。またコネクト部５Ａにも、プラグ６Ａが差し込まれる窓口の周囲（例えば上下左右の４箇所）に磁石１１、１１ａ、１１ｂ、１１ｃが設置されている。
【００１２】
図３に、コネクタ部５に差し込まれる例えばＲＪ４５のプラグ６の斜視図を示す。プラグ６には、コネクタ部５に差し込まれる端子の周囲（例えば上下左右の４箇所）に、磁石１２、１２ａ、１２ｂ、１２ｃが設置されている。また、図４に、コネクタ部５Ａに差し込まれる例えばＤＣ−ＩＮのプラグ６Ａの斜視図を示す。プラグ６Ａは、コネクタ部５Ａに差し込まれる端子の周囲（例えば上下左右の４箇所）に、磁石１３、１３ａ、１３ｂ、１３ｃが設置されている。
【００１３】
コネクタ部５の磁石１０、１０ａ、１０ｂ、１０ｃは、コネクタ部５にプラグ６が差し込まれた際に、このプラグ６の磁石１２、１２ａ、１２ｂ、１２ｃにそれぞれ対応した位置に設置されるとともに、対峙する磁石がそれぞれ引き合うような極性で設置される。同様に、コネクタ部５Ａの磁石１１、１１ａ、１１ｂ、１１ｃは、コネクタ部５Ａにプラグ６Ａが差し込まれた際に、このプラグ６Ａの磁石１３、１３ａ、１３ｂ、１３ｃにそれぞれ対応した位置に設置されるとともに、対峙する磁石がそれぞれ引き合うような極性で設置される。
【００１４】
図２乃至図１０において、Ｎ極の磁石を白塗りで、Ｓ極の磁石を黒塗りで示す。例えば図２及び図３によると、コネクタ部５の磁石１０、１０ａ、１０ｂ、１０ｃは全てＮ極の極性を示し、プラグ６の磁石１２、１２ａ、１２ｂ、１２ｃは全てＳ極の極性を示す。よって、図５に示すように、コネクタ部５にプラグ６が差し込まれた場合には、それぞれ対峙する磁石である磁石１０と磁石１２、磁石１０ａと磁石１２ａ、磁石１０ｂと磁石１２ｂ、磁石１０ｃと磁石１２ｃが引き合って、スムーズに差し込まれる。
【００１５】
同様に、例えば図２及び図４によると、コネクタ部５Ａの磁石１１、１１ａ、１１ｂ、１１ｃは全てＳ極の極性を示し、プラグ６Ａの磁石１３、１３ａ、１３ｂ、１３ｃは全てＮ極の極性を示す。よって、図６に示すように、コネクタ部５Ａにプラグ６Ａが差し込まれた場合には、それぞれ対峙する磁石である磁石１１と磁石１３、磁石１１ａと磁石１３ａ、磁石１１ｂと磁石１３ｂ、磁石１１ｃと磁石１３ｃが引き合って、スムーズに差し込まれる。
【００１６】
また、例えば図２及び図４によると、コネクタ部５の磁石１０、１０ａ、１０ｂ、１０ｃは全てＮ極の極性を示し、プラグ６Ａの磁石１３、１３ａ、１３ｂ、１３ｃは全てＮ極の極性を示す。よって、図７に示すように、コネクタ部５にプラグ６Ａを差し込もうとした場合には、それぞれ対峙する磁石である磁石１０と磁石１３、磁石１０ａと磁石１３ａ、磁石１０ｂと磁石１３ｂ、磁石１０ｃと磁石１３ｃが反発し合って、差し込むことができない。
【００１７】
また、例えば図２及び図３によると、コネクタ部５Ａの磁石１１、１１ａ、１１ｂ、１１ｃは全てＳ極の極性を示し、プラグ６の磁石１２、１２ａ、１２ｂ、１２ｃは全てＳ極の極性を示す。よって、図８に示すように、コネクタ部５Ａにプラグ６を差し込もうとした場合には、それぞれ対峙する磁石である磁石１１と磁石１２、磁石１１ａと磁石１２ａ、磁石１１ｂと磁石１２ｂ、磁石１１ｃと磁石１２ｃが反発し合って、差し込むことができない。
【００１８】
このように電子機器１において、プラグ６、６Ａが差し込まれるコネクタ部５、５Ａに、それぞれ対応するプラグ６、６Ａとコネクタ５、５Ａとにそれぞれ反対の極性を示す磁石を設置することによって、ユーザは、それぞれのコネクタ部５、５Ａに、それぞれ対応するプラグ６、６Ａをスムーズに差し込むことができる。また、隣接するコネクタ部５、５Ａにそれぞれ反対の極性を示す磁石を設置することによって、コネクタ部５、５Ａに、誤って対応していないプラグ６、６Ａが差し込まれそうになったときに、磁石が反発し合う力により、これらの対応していないプラグ６、６Ａが差し込まれることが防止される。
【００１９】
特に、ＤＣ―ＩＮのプラグの端子はＲＪ４５、ＲＪ１１のプラグに対応するコネクタ部の窓口よりも小さく、これらのコネクタ部の窓口に挿入できてしまうため、万が一ＤＣ−ＩＮのプラグがこれらのコネクタ部の窓口に誤って差し込まれてしまった場合に、ＲＪ４５、ＲＪ１１のコネクタ部が破壊されてしまう恐れがある。そこでコネクタ部５（ＲＪ４５またはＲＪ１１等）とプラグ６Ａ（ＤＣ−ＩＮ等）とに相互に反発し合うような極性を示すように磁石を設置することによって、プラグの誤挿入を防止することができる。
【００２０】
また、コネクタ部５、５Ａ、５Ｂに設置される磁石の極性を、磁石ごとに異なるように設置しても良い。例えば図９に示すように、コネクタ部５Ｂは、例えばＰＣ／２のプラグを差し込むためのコネクタを備えている。ＰＣ／２は、接続口（ポート）の形状は６芯のミニＤＩＮ規格で、キーボードやマウス等に使用されるコネクタである。ＰＳ／２の各コネクタに接続できる機器はあらかじめ決まっており、キーボード専用コネクタにマウスを接続して使用したり、マウス専用コネクタにキーボードを接続して使用したりすることはできない。
【００２１】
コネクタ部５Ａには、プラグ６Ａが差し込まれる窓口の周囲（例えば３箇所）に磁石１４、１４ａ、１４ｂが設置されている。またコネクト部５Ｂにも、プラグ６Ａが差し込まれる窓口の周囲（例えば３箇所）に磁石１５、１５ａ、１５ｂが設置されている。
【００２２】
図９に示すように、プラグ６Ａには、コネクタ部５Ａに差し込まれる端子の周囲（例えば３箇所）に、磁石１６、１６ａ、１６ｂが設置されている。また、プラグ６Ｂは、コネクタ部５Ｂに差し込まれる端子の周囲（例えば３箇所）に、磁石１７、１７ａ、１７ｂが設置されている。
【００２３】
コネクタ部５Ａの磁石１４、１４ａ、１４ｂは、コネクタ部５Ａにプラグ６Ａが差し込まれた際に、このプラグ６Ａの磁石１６、１６ａ、１６ｂにそれぞれ対応した位置に設置されるとともに、対峙する磁石がそれぞれ引き合うような極性で設置される。同様に、コネクタ部５Ｂの磁石１５、１５ａ、１５ｂは、コネクタ部５Ｂにプラグ６Ｂが差し込まれた際に、このプラグ６Ｂの磁石１７、１７ａ、１７ｂにそれぞれ対応した位置に設置されるとともに、対峙する磁石がそれぞれ引き合うような極性で設置される。
【００２４】
例えば、コネクタ部５Ａの磁石１４、１４ａ、１４ｂがそれぞれＳ極、Ｓ極、Ｎ極の極性を示し、プラグ６Ａの磁石１６、１６ａ、１６ｂがそれぞれＮ極、Ｎ極、Ｎ極の極性を示す場合には、図９に示すように、コネクタ部５Ａにプラグ６Ａが差し込まれた場合には、それぞれ対峙する磁石である磁石１４と磁石１６、磁石１４ａと磁石１６ａ、磁石１４ｂと磁石１６ｂが引き合って、スムーズに差し込まれる。
【００２５】
同様に、例えば、コネクタ部５Ｂの磁石１５、１５ａ、１５ｂが全てＳ極の極性を示し、プラグ６Ａの磁石１７、１７ａ、１７ｂが全てＮ極の極性を示す場合には、図９に示すように、コネクタ部５Ｂにプラグ６Ｂが差し込まれた場合には、それぞれ対峙する磁石である磁石１５と磁石１７、磁石１５ａと磁石１７ａ、磁石１５ｂと磁石１７ｂが引き合って、スムーズに差し込まれる。
【００２６】
また、例えば、コネクタ部５Ａの磁石１４、１４ａ、１４ｂがそれぞれＳ極、Ｓ極、Ｎ極の極性を示し、プラグ６Ｂの磁石１７、１７ａ、１７ｂが全てＮ極の極性を示す場合には、図９に示すように、コネクタ部５Ａにプラグ６Ｂを差し込もうとした場合には、それぞれ対峙する磁石である磁石１４と磁石１７、磁石１４ａと磁石１７ａ、磁石１４ｂと磁石１７ｂのいずれかが反発し合って、差し込むことができない。
【００２７】
また、例えば、コネクタ部５Ｂの磁石１５、１５ａ、１５ｂが全てＳ極の極性を示し、プラグ６Ａの磁石１６、１６ａ、１６ｂがそれぞれＳ極、Ｓ極、Ｎ極の極性を示す場合には、図９に示すように、コネクタ部５Ｂにプラグ６Ａを差し込もうとした場合には、それぞれ対峙する磁石である磁石１５と磁石１６、磁石１５ａと磁石１６ａ、磁石１５ｂと磁石１６ｂのいずれかが反発し合って、差し込むことができない。
【００２８】
このように電子機器１において、プラグ６、６Ａが差し込まれるコネクタ部５、５Ａに、それぞれ対応するプラグ６、６Ａとコネクタ５、５Ａとにそれぞれ反対の極性を示す磁石を設置することによって、ユーザは、それぞれのコネクタ部５Ａ、５Ｂに、それぞれ対応するプラグ６Ａ、６Ｂをスムーズに差し込むことができる。また、隣接するコネクタ部５Ａ、５Ｂにそれぞれ磁石を異なった極性の配置で設置することによって、コネクタ部５Ａ、５Ｂに、誤って対応していないプラグ６Ａ、６Ｂが差し込まれそうになったときに、磁石が反発し合う力により、これらの対応していないプラグ６Ａ、６Ｂが差し込まれることが防止される。これにより、例えばプラグ６、６Ａが出力電圧の異なるＤＣ−ＩＮのプラグであった場合等に、出力電圧ごとに磁石の極性を示す配置を変えることにより、これらが誤って差し込まれてしまうことが防止される。
【００２９】
特に、ユーザがマウスやキーボード等のＰＳ／２のプラグをコネクタに差し込もうとしたときに、これらのマウスもキーボードにおいて、プラグ及びコネクタのどちらも形状が類似していて、どちらに差し込もうか迷ってしまう可能性がある。しかしながら、マウスやキーボードのそれぞれのプラグやコネクタに対して、磁石を極性が異なるように設置することによって、ユーザがプラグをコネクタに差し込むときに、磁石の引き合う力に従ってスムーズに差し込むことができる。
【００３０】
また、プラグ６Ｂが例えばＰＣ／２のコネクタのプラグであった場合等には、このプラグ６Ｂをコネクタに差し込むときに、上下左右の位置の方向が決まっているため、この上下左右の位置を合わせて差し込まなければならない。
【００３１】
コネクタ部５Ａには、プラグ６Ａが差し込まれる窓口の周囲（例えば３箇所）に磁石１４、１４ａ、１４ｂが設置されている。またコネクト部５Ｂにも、プラグ６Ａが差し込まれる窓口の周囲（例えば３箇所）に磁石１５、１５ａ、１５ｂが設置されている。
【００３２】
プラグ６Ａには、コネクタ部５Ａに差し込まれる端子の周囲（例えば３箇所）に、磁石１６、１６ａ、１６ｂが設置されている。また、プラグ６Ｂは、コネクタ部５Ｂに差し込まれる端子の周囲（例えば３箇所）に、磁石１７、１７ａ、１７ｂが設置されている。
【００３３】
コネクタ部５Ａの磁石１４、１４ａ、１４ｂは、コネクタ部５Ａにプラグ６Ａが正しい方向で差し込まれたときに、このプラグ６Ａの磁石１６、１６ａ、１６ｂにそれぞれ対応した位置に設置されるとともに、対峙する磁石がそれぞれ引き合うような極性で設置される。この際、コネクタ部５Ａの磁石１４、１４ａ、１４ｂは、コネクタ部５Ａにプラグ６Ａが誤った方向で差し込まれたときには、コネクタ部５Ａの磁石１４、１４ａ、１４ｂとプラグ６Ａの磁石１６、１６ａ、１６ｂとが引き合うことがない配置になるように設置される。
【００３４】
例えば、コネクタ部５Ａの磁石１４、１４ａ、１４ｂがそれぞれＳ極、Ｓ極、Ｎ極の極性を示し、プラグ６Ａの磁石１６、１６ａ、１６ｂがそれぞれＮ極、Ｎ極、Ｓ極の極性を示す場合には、図１０に示すように、コネクタ部５Ａにプラグ６Ａが正しい方向で差し込まれた場合には、それぞれ対峙する磁石である磁石１４と磁石１６、磁石１４ａと磁石１６ａ、磁石１４ｂと磁石１６ｂが引き合って、スムーズに差し込まれる。
【００３５】
しかしながら、例えば、コネクタ部５Ａの磁石１４、１４ａ、１４ｂがそれぞれＳ極、Ｓ極、Ｎ極の極性を示し、プラグ６Ａの磁石１６、１６ａ、１６ｂがそれぞれＮ極、Ｎ極、Ｓ極の極性を示すが、コネクタ部５Ａにプラグ６Ｂを誤った方向（例えば上下を逆さまにした方向）で差し込もうとした場合には、図１０に示すように、それぞれ対峙するはずの磁石である磁石１４と磁石１６、磁石１４ａと磁石１６ａ、磁石１４ｂと磁石１６ｂが対峙せずに、各々の磁石が反発し合って、差し込むことができない。
【００３６】
このように電子機器１において、プラグ６Ａが差し込まれるコネクタ部５Ａに、プラグ６Ａが正しい方向に差し込まれる場合にのみ、それぞれ反対の極性を示す磁石が対峙するように配置して設置することによって、ユーザは、コネクタ部５Ａにプラグ６Ａをスムーズに差し込むことができる。また、コネクタ部５Ａに、誤った方向でプラグ６Ａが差し込まれそうになったときに、磁石が反発し合う力により、プラグ６Ａ、６Ｂが差し込まれることが防止される。
【００３７】
本発明に係る電子機器によると、コネクタ部と、これに差し込まれるプラグに、それぞれ引き合うように磁石を設置することにより、低コストで製造でき、かつ対応するプラグのみが差し込み可能なコネクタを備えることにより、非対応のプラグが挿入されることによるコネクタの破壊を防止することが可能となる。
【図面の簡単な説明】
【００３８】
【図１】本発明に係る電子機器を示す斜視図。
【図２】コネクト部を正面から見た様子を示す図。
【図３】コネクト部に差し込まれるプラグの一例を示す斜視図。
【図４】コネクト部に差し込まれるプラグの一例を示す斜視図。
【図５】コネクト部に、これに対応するプラグが差し込まれる様子を示す図。
【図６】コネクト部に、これに対応するプラグが差し込まれる様子を示す図。
【図７】コネクト部に、これに対応しないプラグが差し込まれる様子を示す図。
【図８】コネクト部に、これに対応しないプラグが差し込まれる様子を示す図。
【図９】コネクト部にプラグが差し込まれる様子を示す図。
【図１０】コネクト部にプラグが差し込まれる様子を示す図。
【符号の説明】
【００３９】
１…電子機器，２…キーボード，３…ディスプレイ，４…スピーカ，５、５Ａ、５Ｂ…コネクタ部，６、６Ａ、６Ｂ…プラグ，１０乃至１７…磁石。
【要約】
【課題】本発明は、低コストで製造でき、かつ対応するプラグのみが差し込み可能なコネクタを備えることにより、非対応のプラグが挿入されることによるコネクタの破壊を防止することができる電子機器を提供する。
【解決手段】磁石が所定位置に設置された複数のプラグ６が各々差し込まれる複数のコネクタ部５、５Ａを備えた電子機器１であって、前記各々のコネクタ部５、５Ａは、対応するプラグ６に設置された磁石の極性に対して反対の極性を示す磁石が設置された。
【選択図】  図５【図１】
0004292231.tif 000002
【図２】
0004292231.tif 000003
【図３】
0004292231.tif 000004
【図４】
0004292231.tif 000005
【図５】
0004292231.tif 000006
【図６】
0004292231.tif 000007
【図７】
0004292231.tif 000008
【図８】
0004292231.tif 000009
【図９】
0004292231.tif 000010
【図１０】
0004292231.tif 000011